(57)【要約】      （修正有）【課題】複数段に直接積まれた光ケーブル束を崩れにくくすると共に、光ケーブル束から光ケーブルを引き出し易い光ケーブルを提供する。【解決手段】光ケーブル１のシース３は、光ファイバ心線９と支持線１７との配列方向上に位置する第１外面１２と、配列方向において第１外面１２とは反対側に位置する第２外面１３と、光ケーブル１の長手方向及び前記配列方向と直交するケーブル幅方向上に位置する第３外面１５と、ケーブル幅方向において前記第３外面１５とは反対側に位置する第４外面１８と、を有し、第１外面１２と第２外面１３とを配列方向に接触させた状態における第１外面１２と第２外面１３との間のケーブル幅方向の第１移動抵抗が、第３外面１５と第４外面１８とをケーブル幅方向に接触させた状態における第３外面１５と第４外面１８との配列方向の第２移動抵抗よりも大きい。【選択図】図１
2016021007.tif 000002
【特許請求の範囲】
【請求項１】
光ファイバ心線と、
前記光ファイバ心線と平行に配列された支持線と、
前記光ファイバ心線と前記支持線を被覆するシースと、を備えた光ケーブルであって、
前記シースは、
前記光ファイバ心線と前記支持線との配列方向上に位置する第１外面と、
前記配列方向において前記第１外面とは反対側に位置する第２外面と、
前記光ケーブルの長手方向及び前記配列方向と直交するケーブル幅方向上に位置する第３外面と、
前記ケーブル幅方向において前記第３外面とは反対側に位置する第４外面と、
を有し、
前記第１外面と前記第２外面とを前記配列方向に接触させた状態における前記第１外面と前記第２外面との間の前記ケーブル幅方向の第１移動抵抗が、前記第３外面と前記第４外面とを前記ケーブル幅方向に接触させた状態における前記第３外面と前記第４外面との前記配列方向の第２移動抵抗よりも大きい光ケーブル。
【請求項２】
前記第１外面と前記第２外面は、前記第１外面と前記第２外面とを前記配列方向に接触させた状態において互いに係合する形状に形成されている請求項１に記載の光ケーブル。
【請求項３】
前記第３外面と前記第４外面との間の動摩擦係数は、０．１以上及び０．５以下である請求項１または請求項２に記載の光ケーブル。
【発明の詳細な説明】
【技術分野】
【０００１】
本発明は、光ケーブルに関する。
【背景技術】
【０００２】
従来、束状に巻かれた光ケーブル（以下、光ケーブル束と称する）を出荷する場合、段ボール等に個々の光ケーブル束を包装し、光ケーブル束が収容された段ボールを複数段に積んだ状態でトラック等により複数の光ケーブル束を輸送していた（例えば、特許文献１を参照）。一方で、資源の無駄を減らす観点及びゴミ削減の観点より、段ボール等の包装材料を使用せずに複数の光ケーブル束を複数段積んだ状態でトラック等により輸送することが最近提案されている。
【先行技術文献】
【特許文献】
【０００３】
【特許文献１】特開２０１０−２５６４６７号公報
【発明の概要】
【発明が解決しようとする課題】
【０００４】
しかしながら、複数段に積まれた光ケーブル束をトラック等で輸送する場合、トラックの急ブレーキ等によって、複数段に積まれた光ケーブル束が崩れてしまう状況が発生している。かかる状況を解決するために、各複数段に積まれた光ケーブル束の間に滑り止め材料を挿入しているが、滑り止め材料を各光ケーブル束間に挿入する手間や、資源の無駄を減らす観点及びゴミ削減の観点より、滑り止め材料を使用せずに複数段に直接積まれた光ケーブル束をトラック等で輸送することが求められている。
【０００５】
また、特許文献１に記載されているように、光ケーブル束から光ケーブルを引き出し易くするために、ドロップケーブル等の光ケーブルには、低い動摩擦係数のシースが要求されている。このため、低い動摩擦係数のシースを有する複数の光ケーブル束を複数段積んだ状態でトラック等により輸送する場合には、複数段に直接積まれた光ケーブル束がさらに崩れ易くなる。
【０００６】
本発明は、複数段に直接積まれた光ケーブル束を崩れにくくすると共に、光ケーブル束から光ケーブルを引き出し易くすること目的とする。
【課題を解決するための手段】
【０００７】
本発明の一態様の光ケーブルは、
光ファイバ心線と、
前記光ファイバ心線と平行に配列された支持線と、
前記光ファイバ心線と前記支持線を被覆するシースと、を備えた光ケーブルであって、
前記シースは、
前記光ファイバ心線と前記支持線との配列方向上に位置する第１外面と、
前記配列方向において前記第１外面とは反対側に位置する第２外面と、
前記光ケーブルの長手方向及び前記配列方向と直交するケーブル幅方向上に位置する第３外面と、
前記ケーブル幅方向において前記第３外面とは反対側に位置する第４外面と、
を有し、
前記第１外面と前記第２外面とを前記配列方向に接触させた状態における前記第１外面と前記第２外面との間の前記ケーブル幅方向の第１移動抵抗が、前記第３外面と前記第４外面とを前記ケーブル幅方向に接触させた状態における前記第３外面と前記第４外面との前記配列方向の第２移動抵抗よりも大きい光ケーブルを備える。
【発明の効果】
【０００８】
本発明によれば、複数段に直接積まれた光ケーブル束を崩れにくくすると共に、光ケーブル束から光ケーブルを引き出し易くすることが可能となる。
【図面の簡単な説明】
【０００９】
【図１】（ａ）は、本発明の第１の実施形態に係る光ケーブルを示す断面図である。（ｂ）は、第１の実施形態に係る光ケーブルを束状に巻いた光ケーブル束を示した概略斜視図及びその一部の断面を拡大して示した拡大断面図である。
【図２】複数段積まれた光ケーブル束からなる光ケーブル束群を輸送パレット上に置いた状態を示す斜視図である。
【図３】図２に示された光ケーブル束群の一部である２つの光ケーブル束を示した概略斜視図及び光ケーブル束同士の境界付近における一部の断面を拡大して示した拡大断面図である。
【図４】（ａ）は、本発明の第２の実施形態に係る光ケーブルを示す断面図である。（ｂ）は、第２の実施形態に係る光ケーブルを束状に巻いた光ケーブル束を示した概略斜視図及びその一部の断面を拡大して示した拡大断面図である。
【図５】従来例に係る光ケーブルの光ケーブル束を２段に積んだ状態を示す斜視図及びその境界付近における一部の断面を拡大して示した拡大断面図である。
【発明を実施するための形態】
【００１０】
［本発明の実施形態の説明］
本発明の実施形態の概要を説明する。
（１）本発明の一態様の光ケーブルは、
光ファイバ心線と、
前記光ファイバ心線と平行に配列された支持線と、
前記光ファイバ心線と前記支持線を被覆するシースと、を備えた光ケーブルであって、
前記シースは、
前記光ファイバ心線と前記支持線との配列方向上に位置する第１外面と、
前記配列方向において前記第１外面とは反対側に位置する第２外面と、
前記光ケーブルの長手方向及び前記配列方向と直交するケーブル幅方向上に位置する第３外面と、
前記ケーブル幅方向において前記第３外面とは反対側に位置する第４外面と、
を有し、
前記第１外面と前記第２外面とを前記配列方向に接触させた状態における前記第１外面と前記第２外面との間の前記ケーブル幅方向の第１移動抵抗が、前記第３外面と前記第４外面とを前記ケーブル幅方向に接触させた状態における前記第３外面と前記第４外面との前記配列方向の第２移動抵抗よりも大きい光ケーブル。
【００１１】
束状に巻かれた光ケーブル束の上面と下面は、それぞれ光ケーブルの第１外面及び第２外面から構成されている。包装材料や滑り止め材料を用いずに当該光ケーブル束を複数段に直接積んだ場合に、各光ケーブル束の間では、シースの第１外面からなる光ケーブル束の上面とシースの第２外面からなる光ケーブル束の下面が接触した状態となっている。ここで、光ケーブルの第１外面と第２外面との間のケーブル幅方向における第１移動抵抗が大きいため、光ケーブル束の上面と下面との間の動摩擦係数が大きくなる。
従って、複数段積まれた光ケーブル束の各々にトラックの急ブレーキ等によって横方向の力が作用しても、各々の光ケーブル束が径方向に移動することが抑制される。一方で、前記第３外面と前記第４外面との前記配列方向における第２移動抵抗が小さいので光ケーブル束からケーブルを容易に引き出すことが可能である。
このように、上記構成によれば、複数段に直接積まれた光ケーブル束を崩れにくくすると共に、光ケーブル束からケーブルを引き出し易くすることが可能となる。
尚、「第１移動抵抗」及び「第２移動抵抗」とは、ある物体が所定の方向に移動するときに、その移動を妨げるように作用する抵抗力であって、凹凸の係合構造や面粗さの摩擦等によって生じる抵抗を含む。
【００１２】
（２）前記第１外面と前記第２外面は、前記第１外面と前記第２外面とを前記配列方向に接触させた状態において互いに係合する形状に形成されている項目（１）に記載の光ケーブル。
【００１３】
上記構成によれば、第１外面と第２外面は、第１外面と第２外面とを配列方向に接触させた状態において互いに係合する形状に形成されているため、第１外面と第２外面との間の第１移動抵抗を大きくすることができる。従って、シースの第１外面と第２外面の形状を工夫することで、複数段に積まれた光ケーブル束を崩れにくくすることが可能となる。
【００１４】
（３）前記第３外面と前記第４外面との間の動摩擦係数は、０．１以上及び０．５以下である項目（１）または項目（２）に記載の光ケーブル。
【００１５】
第３外面と第４外面との間の動摩擦係数が、０．１より小さくなるとシースを把持するコネクタを取り付けた後の光ケーブルの耐引張特性が劣化する。一方、当該動摩擦係数が０．５より大きくなると光ケーブル束からのケーブル引き出し性が悪化する。従って、上記構成により良好なケーブル引き出し性及び耐引張特性を確保した光ケーブルを提供することが可能となる。
【００１６】
［本発明の実施形態の詳細］
以下、本発明の実施形態について図面を参照しながら説明する。尚、本実施形態の説明において既に説明された部材と同一の参照番号を有する部材については、説明の便宜上、その説明は省略する。また、本図面に示された各部材の寸法は、説明の便宜上、実際の各部材の寸法とは異なる場合がある。
また、本実施形態の説明では、適宜、Ｘ軸方向、Ｙ軸方向、Ｚ軸方向について言及するが、これらの各軸の方向は、図１に示された光ケーブル１について設定された相対的な方向である。従って、図１に示された光ケーブル１が所定方向に回転した場合には、それに従ってＸ軸方向、Ｙ軸方向、Ｚ軸方向も回転する。尚、本実施形態で説明するＸ、Ｙ、Ｚ軸方向とは±Ｘ、Ｙ、Ｚ方向を含む方向であり、特定のベクトル（方向）を指す場合には、＋Ｘ方向、−Ｙ方向等として明示する。
【００１７】
（第１の実施形態）
本発明の第１の実施形態に係る光ケーブル１について図１から図３を参照して説明する。図１（ａ）は、本発明の第１の実施形態に係る光ケーブル１を示す断面図である。図１（ａ）に示した光ケーブル１の断面図は、光ケーブル１の長手方向（Ｚ軸方向）に直交した断面図である。図１（ａ）に示すように、光ケーブル１は、本体部４と支持線部６とから構成されたドロップ型光ケーブルである。
【００１８】
支持線部６は、光ケーブル１を架空で支持するための強度を有するように構成されており、支持線１７と支持線１７を被覆するシース３とを備えている。支持線１７は、例えば、鋼やガラス繊維強化プラスチック等からなる。シース３は、熱可塑性樹脂からなり、例えば、難燃ポリエチレンやＰＶＣ等の材料からなる。
【００１９】
本体部４は、一対のテンション部材２ａ、２ｂと、光ファイバ心線９と、テンション部材２ａ、２ｂ及び光ファイバ心線９を覆うシース３とを備えている。シース３は、本体部４と支持線部６で一括押出成形されている。
【００２０】
テンション部材２ａ、２ｂは、シース３に埋没された状態で、光ケーブル１の長手方向に延びるように互いに平行に配列している。各テンション部材２ａ、２ｂは、例えば、鋼やガラス繊維強化プラスチック等から形成される。テンション部材２ａ、２ｂの外周には、ポリエチレン等の接着層（図示せず）が設けられていてもよい。その場合、テンション部材２ａ、２ｂとシース３との間が強く接着される。このように、テンション部材２ａ、２ｂが設けられることで、本体部４の抗張力等の剛性を高めることができ、光ファイバ心線９を外力から保護することが可能となる。
【００２１】
光ファイバ心線９は、長手方向に延びるように支持線１７及びテンション部材２ａ、２ｂと平行に配列されている。光ファイバ心線９は、一般的な光ファイバの構成であるため、その詳細については説明を省略する。例えば、各光ファイバ心線９は、光が伝搬するコア層と当該コア層を被覆するクラッド層からなる二重構造のガラス体と、当該ガラス体を被覆する紫外線硬化型樹脂層とを有する。尚、本実施形態では、単一の光ファイバ心線９が一例として図示されているが、複数の光ファイバ心線９が光ケーブル１に設けられていてよい。例えば、複数の光ファイバ心線９を有する１以上のテープ心線が光ケーブル１に設けられていてもよい。
【００２２】
シース３は、光ファイバ心線９と支持線１７との配列方向（Ｙ軸方向）上に位置する第１外面１２と、当該配列方向において第１外面１２とは反対側に位置する第２外面１３とを有する。ここで、光ファイバ心線９と支持線１７との配列方向とは、長手方向（Ｚ軸方向）に直交する光ケーブル１の断面において、支持線１７の中心点と光ファイバ心線９の中心点を結ぶ直線の方向を意味しており、本実施形態においては、当該配列方向はＹ軸方向となる。
【００２３】
図１（ａ）に示すように、Ｚ軸方向から見ると、シース３の第１外面１２は湾曲した凸形状となっており、シース３の第２外面１３は湾曲した凹形状となっている。第２外面１３の外形線が第１外面１２の外形線と略一致している。図１（ｂ）の左図に示すように、第１外面１２と第２外面１３は、第１外面１２と第２外面１３とを配列方向（Ｙ軸方向）に接触させた状態において互いに係合する形状に形成されている。この点については後述する。
【００２４】
また、シース３は、光ケーブル１の長手方向（Ｚ軸方向）及び配列方向（Ｙ軸方向）と直交するケーブル幅方向（Ｘ軸方向）上に位置する第３外面１５と、当該ケーブル幅方向において第３外面１５とは反対側に位置する第４外面１８とを有する。本実施形態においては、当該ケーブル幅方向はＸ軸方向となる。
【００２５】
第３外面１５と第４外面１８にはそれぞれ長手方向に延びたノッチ７が形成されている。ノッチ７を設けることで、シース３を引き裂いてシース３から光ファイバ心線９を取り出すことが容易となる。
【００２６】
また、本実施形態における光ケーブル１はドロップ型光ケーブルであるため、シース３には低い動摩擦係数が要求されており、シース３の外面間の動摩擦係数は例えば０．１以上及び０．５以下であることが好ましい。
【００２７】
光ケーブル１のシース３の外面間の動摩擦係数の測定方法としては、例えば、光ケーブル１を３段に積層し、３段に積層した光ケーブル１のうち上段の光ケーブル１にＷ（ｋｇ）の重りを載せる。次に、３段に積層した光ケーブル１のうち中段の光ケーブル１を所定方向に引っ張る。ここで、中段の光ケーブル１が上段の光ケーブル１及び下段の光ケーブル１に対して動いているときの引張力Ｆ（ｋｇｆ）を測定する。
ここで、引張力Ｆ、シース３の外面間の動摩擦係数μ、重りの重さＷには、Ｆ＝μＷの関係が成立することから、μ＝Ｆ/Ｗとして動摩擦係数μの値を測定することが可能である。
【００２８】
次に、光ケーブル１を束状に巻いた光ケーブル束１００について図１（ｂ）を参照して説明する。図１（ｂ）には、光ケーブル束１００を示した概略斜視図（右図）及びその一部の断面を拡大して示した拡大断面図（左図）が示されている。
ケーブル巻き取り機等によって、軸方向（図１（ｂ）の拡大断面図においてＹ軸方向）及び径方向（図１（ｂ）の拡大断面図においてＸ軸方向）において光ケーブル１が平行に配列するように光ケーブル１を束状に巻くことで光ケーブル束１００が構成される。光ケーブル束１００は上面１２０及び上面１２０とは反対側の下面１３０を有する。また、光ケーブル束１００には、束形状を保持するためのテープ等（図示せず）が設けられていてもよい。
【００２９】
図１（ｂ）の拡大断面図に示されるように、光ケーブル束１００では、光ケーブル１がＹ軸方向（配列方向）及びＸ軸方向（ケーブル幅方向）において互いに平行に配列している。Ｙ軸方向においては、光ケーブル１の第１外面１２は、光ケーブル１の第２外面１３に接触し、第１外面１２と第２外面１３が互いに係合している。このように、第１外面１２と第２外面１３が互いに係合しているので、第１外面１２と第２外面１３との間には、Ｘ軸方向に移動を妨げるように作用する抵抗力（第１移動抵抗）が生じる。
【００３０】
他方、Ｘ軸方向においては、光ケーブル１の第４外面１８は、光ケーブル１の第３外面１５に接触している。このとき、第３外面１５と第４外面１８との間には、Ｙ軸方向に移動を妨げるように作用する抵抗力（第２移動抵抗）が生じる。尚、ここでは、第２移動抵抗は、Ｙ軸方向における第３外面１５と第４外面１８との間の動摩擦力に相当する。
また、Ｙ軸方向及びＺ軸方向における第３外面１５と第４外面１８との間の動摩擦係数及びＺ軸方向における第１外面１２と第２外面１３との間の動摩擦係数は、例えば、０．１以上及び０．５以下となることが好ましい。
ここで、上記動摩擦係数が０．１より小さくなると、シース３を把持するコネクタを取り付けた後の光ケーブル１の耐引張特性が劣化する一方で、上記動摩擦係数が０．５より大きくなると光ケーブル束１００からの光ケーブル１の引き出し性が悪化する。
【００３１】
また、光ケーブル束１００において、光ケーブル１の第１外面１２と第２外面１３との間にはＸ軸方向に第１移動抵抗が生じ、光ケーブル１の第３外面１５と第４外面１８との間にはＹ軸方向に第２移動抵抗が生じ、第１移動抵抗は第２移動抵抗よりも大きい。
また、光ケーブル束１００の上面１２０は、光ケーブル１の第１外面１２によって構成されており、光ケーブル束１００の下面１３０は、光ケーブル１の第２外面１３によって構成されている。
【００３２】
次に、光ケーブル束１００を複数段に積んだ状態を図２及び図３を用いて説明する。図２は、１０段に積まれた図１の光ケーブル束１００からなる光ケーブル束群３００を輸送パレット４００上に置いた状態を示している。図２に示されるように、４つの光ケーブル束群３００が輸送パレット４００上に置かれている。また、各光ケーブル束１００の間には、段ボール等の包装材料や滑り止め材料は使用されていない。図２はトラック等により光ケーブル束１００を輸送する直前の状態を示している。
【００３３】
以下、図２に示された光ケーブル束群３００がトラック等による輸送中に崩れにくくなる理由について以下に説明する。
最初に、図２に示された光ケーブル束群３００の一部である光ケーブル束１００ａと光ケーブル束１００ｂとの間の動摩擦係数について図３を参照して説明する。
尚、説明の便宜上、光ケーブル束群３００のうち２つの光ケーブル束１００をそれぞれ光ケーブル束１００ａ、１００ｂとして区別しているだけであって、光ケーブル束１００ａ、１００ｂは図１の光ケーブル束１００と同じ構造を有する。
図３の右図は、光ケーブル束１００ａ、１００ｂを示した概略斜視図である。図３の左図は、光ケーブル束１００ａ、１００ｂの境界付近における一部の断面を拡大して示した拡大断面図である。
【００３４】
図３に示すように、光ケーブル１ａを束状に巻いた光ケーブル束１００ａは、上面１２０ａと下面１３０ａとを有しており、上面１２０ａと下面１３０ａがそれぞれシース３ａの第１外面１２ａ及び第２外面１３ａによって構成されている（図３の左図参照）。
また、光ケーブル１ｂを束状に巻いた光ケーブル束１００ｂは、光ケーブル束１００ａに直接積まれている。光ケーブル束１００ｂは、上面１２０ｂと下面１３０ｂとを有しており、上面１２０ｂと下面１３０ｂがそれぞれシース３ｂの第１外面１２ｂ及び第２外面１３ｂによって構成されている（図３の左図参照）。
【００３５】
滑り止め材料を用いずに光ケーブル束１００ｂを光ケーブル束１００ａに直接積んだ状態では、光ケーブル束１００ａの上面１２０ａと光ケーブル束１００ｂの下面１３０ｂが互いに接触している。
このとき、図３の左図に示すように、光ケーブル１ａの各第１外面１２ａと光ケーブル１ｂの各第２外面１３ｂとが互いに係合しているため、ケーブル幅方向（Ｘ軸方向）において第１外面１２ａと第２外面１３ｂとの間に第１移動抵抗が生じる。
この第１移動抵抗により、光ケーブル束１００ａの上面１２０ａと光ケーブル束１００ｂの下面１３０ｂとの間の動摩擦係数が大きくなる。
【００３６】
例えば、図５に示されるように、従来の光ケーブル５１ａからなる光ケーブル束１０５ａの上面１１５ａと従来の光ケーブル５１ｂからなる光ケーブル束１０５ｂの下面１３５ｂとの間のＸ軸方向（束の径方向）の動摩擦係数が０．３〜０．７である一方、図３に示す光ケーブル束１００ａの上面１２０ａと光ケーブル束１００ｂの下面１３０ｂとの間のＸ軸方向（束の径方向）の動摩擦係数は０．９〜１．０となる。
【００３７】
尚、光ケーブル束間の動摩擦係数の測定方法としては、例えば、光ケーブル束を２段に積層し、上段の光ケーブル束を束径方向に引っ張る。そして、上段の光ケーブル束が下段の光ケーブル束に対して動いているときの引張力Ｆ（ｋｇｆ）を測定する。また、予め上段の光ケーブル束の自重Ｗ（ｋｇ）を測定しておく。
ここで、引張力Ｆ、光ケーブル束間の動摩擦係数μ、上段の光ケーブル束の自重Ｗには、Ｆ＝μＷの関係が成立することから、μ＝Ｆ/Ｗとして動摩擦係数μの値を測定することが可能である。
【００３８】
つまり、光ケーブル１ａのシース３ａの第１外面１２ａと光ケーブル１ｂのシース３ｂの第２外面１３ｂとが互いに係合する形状となっているため、Ｘ軸方向（ケーブル幅方向）における第１外面１２ａと第２外面１３ｂとの間の第１移動抵抗が大きくなり、光ケーブル束１００ａの上面１２０ａと光ケーブル束１００ｂの下面１３０ｂとの間の動摩擦係数が大きくなる。このように、光ケーブル束１００ｂが光ケーブル束１００ａに対して径方向に移動することが抑制される。
【００３９】
光ケーブル束１００ａと光ケーブル束１００ｂとの間の動摩擦係数について説明したが、図２の光ケーブル束群３００の他の光ケーブル束１００間の接触面の動摩擦係数についても同様である。
従って、光ケーブル束群３００の各光ケーブル束１００間の接触面（上面１２０と下面１３０）の動摩擦係数が大きくなり、各光ケーブル束１００が径方向に移動することが抑制される。このように、光ケーブル束群３００を崩れにくくすることが可能となる。
【００４０】
一方で、光ケーブル束群３００の各光ケーブル束１００では、第３外面１５と第４外面１８との間の第２移動抵抗が小さいため、光ケーブル束１００から光ケーブル１を容易に引き出すことが可能となる。
【００４１】
このように、複数段に直接積まれた光ケーブル束１００を崩れにくくし、且つ光ケーブル束１００から光ケーブル１を容易に引き出すことが可能となる。
【００４２】
（第２の実施形態）
本発明の第２の実施形態に係る光ケーブル１１について図４を参照しながら説明する。尚、第１の実施形態に係る光ケーブル１と同じ構成には同一の符号を付しており、その説明は省略する。
図４（ａ）は、光ケーブル１１を示す断面図である。図４（ａ）に示した光ケーブル１１の断面図は、光ケーブル１１の長手方向（Ｚ軸方向）に直交した断面図である。図４（ａ）に示すように、光ケーブル１１は、本体部４０と支持線部６０とから構成されたドロップ型光ケーブルである。本実施形態の光ケーブル１１は、第１実施形態の光ケーブル１と比較して、シース３０の第１外面１２２と第２外面１３３の形状が異なる一方、その他の構成は同じである。
【００４３】
図４（ａ）に示すように、Ｚ軸方向から見ると、シース３０の第１外面１２２及び第２外面１３３はジグザグ形状となっており、第１外面１２２の外形線が第２外面１３３の外形線と略一致している。図４（ｂ）の左図に示すように、第１外面１２２と第２外面１３３は、第１外面１２２と第２外面１３３とを配列方向（Ｙ軸方向）に接触させた状態において互いに係合する形状に形成されている。
【００４４】
また、シース３０は、光ケーブル１１の長手方向（Ｚ軸方向）及び配列方向（Ｙ軸方向）と直交するケーブル幅方向（Ｘ軸方向）上に位置する第３外面１５０と、当該ケーブル幅方向において第３外面１５０とは反対側に位置する第４外面１８０とを有する。本実施形態においては、当該ケーブル幅方向はＸ軸方向となる。
【００４５】
次に、光ケーブル１１を束状に巻いた光ケーブル束１０１について図４（ｂ）を参照して説明する。図４（ｂ）には、光ケーブル束１０１を示した概略斜視図（右図）及びその一部の断面を拡大して示した拡大断面図（左図）が示されている。尚、本実施形態の光ケーブル束１０１は第１実施形態の光ケーブル束１００と同様な手法により束状に巻かれている。
【００４６】
図４（ｂ）の拡大断面図に示されるように、光ケーブル束１０１では、光ケーブル１１がＹ軸方向（配列方向）及びＸ軸方向（ケーブル幅方向）において互いに平行に配列している。Ｙ軸方向においては、光ケーブル１１の第１外面１２２は、光ケーブル１の第２外面１３３に接触し、第１外面１２２と第２外面１３３が互いに係合している。このように、第１外面１２２と第２外面１３３が互いに係合しているので、第１外面１２２と第２外面１３３との間には、Ｘ軸方向に移動を妨げるように作用する抵抗力（第１移動抵抗）が生じる。
【００４７】
他方、Ｘ軸方向においては、光ケーブル１の第４外面１８０は、光ケーブル１の第３外面１５０に接触している。このとき、第３外面１５０と第４外面１８０との間には、Ｙ軸方向に移動を妨げるように作用する抵抗力（第２移動抵抗）が生じる。
【００４８】
また、光ケーブル束１０１において、光ケーブル１１の第１外面１２２と第２外面１３３との間にはＸ軸方向に第１移動抵抗が生じ、光ケーブル１１の第３外面１５０と第４外面１８０との間にはＹ軸方向に第２移動抵抗が生じ、第１移動抵抗は第２移動抵抗よりも大きい。
【００４９】
このように、光ケーブル束１０１を複数段積んだ状態においても、各光ケーブル束１０１間において、一方の光ケーブル１１の第１外面１２２と他方の光ケーブル１１の第２外面１３３とが互いに係合する形状となっているため、第１外面１２２と第２外面１３３との間のＸ軸方向における第１移動抵抗が大きくなる。
従って、各光ケーブル束１０１間の接触面（上面１２１と下面１３１）の動摩擦係数が大きくなり、各光ケーブル束１０１が径方向に移動することが抑制される。このように、複数段積まれた光ケーブル束１０１を崩れにくくすることが可能となる。
【００５０】
尚、第１実施形態及び第２実施形態では、光ケーブルのシースの第１外面と第２外面の外形線が略一致するため、第１外面と第２外面が係合する形状となっていたが、本発明の実施形態はこれらには限定されない。例えば、光ケーブルのシースの第１外面と第２外面の外形線が一致しなくても、第１外面と第２外面が接触したときに、Ｘ軸方向における第１外面と第２外面との間の移動が妨げられるような第１外面と第２外面の形状であれば、両者は係合する形状として定義される。
さらに、本実施形態では、光ケーブルのシースの第１外面と第２外面が係合する形状とすることで、Ｘ軸方向における第１移動抵抗を大きくしていたが、本発明の実施形態はこれには限定されない。例えば、シースの第１外面と第２外面とをＹ軸方向に接触させた状態において、第１外面と第２外面との間のＸ軸方向の第１移動抵抗が大きくなるように、第１外面と第２外面の表面粗さ調整することで第１外面と第２外面との間の動摩擦係数を大きくしてもよい。
【００５１】
以上、本発明の実施形態について説明をしたが、本発明の技術的範囲が本実施形態の説明によって限定的に解釈されるべきではないのは言うまでもない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【符号の説明】
【００５２】
１、１ａ、１ｂ、１１、５１ａ、５１ｂ・・・光ケーブル
２ａ、２ｂ・・・テンション部材
３、３ａ、３ｂ、３０・・・シース
４、４０・・・本体部
６、６０・・・支持線部
７・・・ノッチ
９・・・光ファイバ心線
１２、１２ａ、１２ｂ、１２２・・・第１外面
１３、１３ａ、１３ｂ、１３３・・・第２外面
１５、１５０・・・第３外面
１８、１８０・・・第４外面
１７・・・支持線
４００・・・輸送パレット
１００、１００ａ、１００ｂ、１０１、１０５ａ、１０５ｂ・・・光ケーブル束
１２０、１２０ａ、１２０ｂ、１２１、１１５ａ・・・上面
１３０、１３０ａ、１３０ｂ、１３１、１３５ｂ・・・下面
３００・・・光ケーブル束群
【図１】
2016021007.tif 000003
【図２】
2016021007.tif 000004
【図３】
2016021007.tif 000005
【図４】
2016021007.tif 000006
【図５】
2016021007.tif 000007